(57)【要約】【課題】ＬＣＤ表示器に表示不良が発生した場合に、表示不良の原因が、ＬＣＤ表示器自身の不良にあるのか、あるいは、ケーブル又はメインボードの不良にあるのかを切り分けることが可能なＬＣＤ表示器を提供する。【解決手段】本発明は、表示不良の原因を判定するために用いる不良判定画像を記憶する記憶部１１と、入力された画像を表示画面に表示する画像表示部１３と、映像信号が入力されると、映像信号を解釈して映像信号に基づく画像を生成し、画像表示部１３に出力する画像生成部１２１と、入力された映像信号が、予め設定された通常時には入力されない信号パターンを有する不良判定信号に合致したかを検知し、合致した場合には、映像信号の画像生成部への入力を遮断すると共に、記憶部１１に記憶された不良判定画像を読み出して画像表示部１３に出力し、合致しない場合には、映像信号を画像生成部１２１に入力させる不良判定信号検出部と、を備える。【選択図】図１
2019164337.tif 000002
【特許請求の範囲】
【請求項１】
ＬＣＤ表示器であって、
前記ＬＣＤ表示器に表示不良が発生した場合に表示不良の原因を判定するために用いる不良判定画像を記憶する第１記憶部と、
入力された画像を表示画面に表示する画像表示部と、
映像信号が入力されると、前記映像信号を解釈して前記映像信号に基づく画像を生成し、前記画像表示部に出力する画像生成部と、
入力された映像信号が、予め設定された通常時には入力されない信号パターンを有する不良判定信号に合致したかを検知し、合致した場合には、前記映像信号の前記画像生成部への入力を遮断すると共に、前記第１記憶部に記憶された前記不良判定画像を読み出して前記画像表示部に出力し、合致しない場合には、前記映像信号を前記画像生成部に入力させる不良判定信号検出部と、を備える、ＬＣＤ表示器。
【請求項２】
ＬＣＤ表示器であって、
入力された画像を表示画面に表示する画像表示部と、
映像信号が入力されると、前記映像信号を解釈して前記映像信号に基づく画像を生成し、前記画像表示部に出力する画像生成部と、
入力された映像信号が、予め設定された通常時には入力されない信号パターンを有する不良判定信号に合致したか否かを検知し、合致した場合には、前記映像信号の前記画像生成部への入力を遮断すると共に、前記ＬＣＤ表示器の外部に、前記不良判定信号に対応する出力信号を出力し、合致しない場合には、前記映像信号を前記画像生成部に入力させる不良判定画像検出部と、を備える、ＬＣＤ表示器。
【請求項３】
請求項１に記載のＬＣＤ表示器と、
制御装置と、
撮影装置と、を備え、
前記制御装置は、
前記ＬＣＤ表示器に前記映像信号が入力された場合に、前記表示画面に表示される画像に係る画像データを記憶する第２記憶部と、
診断指令信号が入力されると、前記ＬＣＤ表示器に前記映像信号を出力し、前記撮影装置に撮影指令信号を出力する第１判断部と、
前記映像信号に基づいて前記表示画面に表示された画像であって、前記撮影指令信号が入力された前記撮影装置によって撮影された画像に係る撮影データが、前記撮影装置から入力されると、前記画像データと前記撮影データとの照合結果に基づいて、前記撮影装置に対し、前記ＬＣＤ表示器の診断結果を出力する第２判断部と、
を備え、
前記撮影装置は、前記診断結果を表示する診断システム。
【請求項４】
サーバを更に備え、
前記第２記憶部は、前記ＬＣＤ表示器の識別情報を更に記憶し、
前記第２判断部は、更に、前記診断結果に紐づく前記識別情報を前記第２記憶部から読み出して、前記診断結果と前記識別情報とを組として前記サーバに出力する、請求項３に記載の診断システム。
【請求項５】
請求項１に記載のＬＣＤ表示器と、
制御装置と、
撮影装置と、
サーバと、を備え、
前記制御装置は、
診断指令信号が入力されると、前記ＬＣＤ表示器に前記映像信号を入力し、前記撮影装置に撮影指令信号と前記ＬＣＤ表示器の識別情報とを出力する第１判断部を備え、
前記サーバは、
前記ＬＣＤ表示器に前記映像信号が入力された場合に、前記表示画面に表示される画像に係る画像データを記憶する第２記憶部と、
前記映像信号に基づいて前記表示画面に表示された画像であって、前記撮影指令信号が入力された前記撮影装置によって撮影された画像に係る撮影データ及び前記識別情報が前記撮影装置から入力されると、前記画像データと前記撮影データとの照合結果に基づいて、前記撮影装置に対し、前記ＬＣＤ表示器の診断結果を出力する第２判断部と、
前記診断結果と前記識別情報とを組として収集する収集部とを備え、
前記撮影装置は、前記診断結果を表示する、診断システム。
【発明の詳細な説明】
【技術分野】
【０００１】
本発明は、ＬＣＤ表示器及び診断システムに関する。
【背景技術】
【０００２】
ＬＣＤユニットの表示不良の原因は、ＬＣＤ表示器の不良、ＬＣＤ表示器に映像信号を入力するケーブルの不良（嵌合不良を含む）、ＬＣＤ表示器を制御するメインボードの不良の３つの不良モードに分類できるが、ＬＣＤユニットに表示不良が発生した現場では、上記のＬＣＤユニットの不良モードの切り分けができないのが現状である。ケーブル又はメインボードに不良が発生したことに由来して、例えば図１２に示すようにＬＣＤ表示器の画面に縦線が表示される、画面の半分が表示されない等の表示不良が発生したとしても、ＬＣＤユニットの保守時には、ケーブル又はメインボードに不良が発生したことを特定することは出来なかった。
また、例えば、ケーブルをＬＣＤ表示器に接続するコネクタの接触不良があるために表示不良となっている場合に、ＬＣＤ表示器自体に不良があるのではないかとの推測に基づき、ＬＣＤ表示器のみを取り外してサービスセンターに修理依頼に出しても、表示不良は再現せず、それ以上表示不良の現象を追うことはできなかった。
【０００３】
この点、特許文献１は、ＬＣＤ表示器を有する情報処理装置であって、ＬＣＤ表示器とは別体の、ＬＣＤ表示器での表示を制御する制御部に異常が生じた場合に、表示する画像を異常の種類に応じた画像に切り替える情報処理装置を開示している。
【先行技術文献】
【特許文献】
【０００４】
【特許文献１】特開２０１６−２１８５５３号公報
【発明の概要】
【発明が解決しようとする課題】
【０００５】
しかし、特許文献１に係る技術は、あくまで制御部に生じた異常の種類に応じて表示を切り替えるものであり、異常の原因が、ＬＣＤ表示器自体にあるのか、ケーブルやメインボードにあるのかを切り分けるものではなかった。
【０００６】
本発明は、ＬＣＤ表示器に表示不良が発生した場合に、表示不良の原因が、ＬＣＤ表示器自身の不良にあるのか、あるいは、ケーブル又はメインボードの不良にあるのかを切り分けることが可能なＬＣＤ表示器及び診断システムを提供することを目的とする。
【課題を解決するための手段】
【０００７】
（１）  本発明に係るＬＣＤ表示器は、ＬＣＤ表示器（例えば、後述の「ＬＣＤ表示器１」）であって、前記ＬＣＤ表示器に表示不良が発生した場合に表示不良の原因を判定するために用いる不良判定画像を記憶する記憶部（例えば、後述の「記憶部１１」）と、入力された画像を表示画面に表示する画像表示部（例えば、後述の「画像表示部１３」）と、映像信号が入力されると、前記映像信号を解釈して前記映像信号に基づく画像を生成し、前記画像表示部に出力する画像生成部（例えば、後述の「画像生成部１２１」）と、入力された映像信号が、予め設定された通常時には入力されない信号パターンを有する不良判定信号に合致したかを検知し、合致した場合には、前記映像信号の前記画像生成部への入力を遮断すると共に、前記記憶部に記憶された前記不良判定画像を読み出して前記画像表示部に出力し、合致しない場合には、前記映像信号を前記画像生成部に入力させる不良判定信号検出部（例えば、後述の「不良判定信号検知部１２２」）と、を備える。
【０００８】
（２）  本発明に係るＬＣＤ表示器は、ＬＣＤ表示器（例えば、後述の「ＬＣＤ表示器１Ａ」）であって、入力された画像を表示画面に表示する画像表示部と、映像信号が入力されると、前記映像信号を解釈して前記映像信号に基づく画像を生成し、前記画像表示部に出力する画像生成部（例えば、後述の「画像生成部１２１」）と、入力された映像信号が、予め設定された通常時には入力されない信号パターンを有する不良判定信号に合致したか否かを検知し、合致した場合には、前記映像信号の前記画像生成部への入力を遮断すると共に、前記ＬＣＤ表示器の外部に、前記不良判定信号に対応する出力信号を出力し、合致しない場合には、前記映像信号を前記画像生成部に入力させる不良判定画像検出部（例えば、後述の「不良判定信号検知部１２２ａ」）と、を備える。
【０００９】
（３）  本発明に係る診断システム（例えば、後述の「診断システム１０」）は、（１）に記載のＬＣＤ表示器と、制御装置（例えば、後述の「制御装置３」）と、撮影装置（例えば、後述の「撮影装置４」）とを備え、前記制御装置は、前記ＬＣＤ表示器に前記映像信号が入力された場合に、前記表示画面に表示される画像に係る画像データを記憶する第２記憶部（例えば、後述の「記憶部３１」）と、診断指令信号が入力されると、前記ＬＣＤ表示器に前記映像信号を出力し、前記撮影装置に撮影指令信号を出力する第１判断部（例えば、後述の「第１判断部３２」）と、前記映像信号に基づいて前記表示画面に表示された画像であって、前記撮影指令信号が入力された前記撮影装置によって撮影された画像に係る撮影データが前記撮影装置から入力されると、前記画像データと前記撮影データとの照合結果に基づいて、前記撮影装置に対し、前記ＬＣＤ表示器の診断結果を出力する第２判断部（例えば、後述の「第２判断部３３」）と、を備え、前記撮影装置は前記診断結果を表示する。
【００１０】
（４）  （３）に記載の診断システム（例えば、後述の「診断システム１０Ａ」）は、サーバ（例えば、後述の「サーバ５」）を更に備え、前記第２記憶部は、前記ＬＣＤ表示器の識別情報を更に記憶し、前記第２判断部は、更に、前記診断結果に紐づく前記識別情報を前記第２記憶部から読み出して、前記診断結果と前記識別情報とを組として前記サーバに出力してもよい。
【００１１】
（５）  本発明に係る診断システム（例えば、後述の「診断システム１０Ｂ」）は、（１）に記載のＬＣＤ表示器と、制御装置（例えば、後述の「制御装置３Ｂ」）と、撮影装置（例えば、後述の「撮影装置４Ｂ」）と、サーバ（例えば、後述の「サーバ５Ｂ」）とを備え、前記制御装置は、診断指令信号が入力されると、前記ＬＣＤ表示器に前記映像信号を入力し、前記撮影装置に撮影指令信号と前記ＬＣＤ表示器の識別情報とを出力する第１判断部（例えば、後述の「第１判断部３１Ｂ」）を備え、前記サーバは、前記ＬＣＤ表示器に前記映像信号が入力された場合に、前記表示画面に表示される画像に係る画像データを記憶する第２記憶部（例えば、後述の「記憶部５１」）と、前記映像信号に基づいて前記表示画面に表示された画像であって、前記撮影指令信号が入力された前記撮影装置によって撮影された画像に係る撮影データ及び前記識別情報が前記撮影装置から入力されると、前記画像データと前記撮影データとの照合結果に基づいて、前記撮影装置に対し、前記ＬＣＤ表示器の診断結果を出力する第２判断部（例えば、後述の「第２判断部５２」）と、前記診断結果と前記識別情報とを組として収集する収集部（例えば、後述の「収集部５３」）とを備え、前記撮影装置は前記診断結果を表示する。
【発明の効果】
【００１２】
本発明によれば、ＬＣＤ表示器に表示不良が発生した場合に、表示不良の原因が、ＬＣＤ表示器自身の不良にあるのか、あるいは、ケーブル又はメインボードの不良にあるのかを切り分けることが可能なＬＣＤ表示器及び診断システムを提供することが可能となる。
【図面の簡単な説明】
【００１３】
【図１】本発明の第１実施形態に係るＬＣＤ表示器の全体構成を示す図である。
【図２】本発明の第１実施形態に係るＬＣＤ表示器に入力される、予め定めた形態の信号自身を映像化した場合の画像の例を示す図である。
【図３】本発明の第１実施形態に係るＬＣＤ表示器に入力される、予め定めた形態の信号自身を映像化した場合の画像の例を示す図である。
【図４】本発明の第１実施形態に係るＬＣＤ表示器に対して予め定めた形態の信号が入力された場合に、この信号に対応して表示される画像の例を示す図である。
【図５】本発明の第１実施形態に係るＬＣＤ表示器に不良がある際に、予め定めた形態の信号が入力された場合に表示される画像の例を示す図である。
【図６】本発明の第１実施形態に係るＬＣＤ表示器の制御側又はケーブルに不良がある際に、予め定めた形態の信号が入力された場合に表示される画像の例を示す図である。
【図７】本発明の第２実施形態に係るＬＣＤ表示器の全体構成を示す図である。
【図８】本発明の第３実施形態に係る診断システムの全体構成を示す図である。
【図９】本発明の第４実施形態に係る診断システムの全体構成を示す図である。
【図１０】本発明の変形例１に係るＬＣＤ表示器の全体構成を示す図である。
【図１１】本発明の変形例２に係る診断システムの全体構成を示す図である。
【図１２】ＬＣＤユニットに不良がある際に表示される画面の例を示す図である。
【発明を実施するための形態】
【００１４】
〔１．第１実施形態〕
以下、本発明の第１実施形態を図１〜図６に基づいて説明する。図１は、第１実施形態に係るＬＣＤ表示器１の全体構成を示す。図２及び図３は、ＬＣＤ表示器１に対して入力される、予め設定された信号パターンを有する信号を映像化した場合の画像の例を示す。図４は、ＬＣＤ表示器１に対して予め設定された信号パターンを有する信号が入力された場合に、この信号に対応してＬＣＤ表示器１に表示される画像の例を示す。図５は、ＬＣＤ表示器１自体に不良が存在する際、予め設定された信号パターンを有する信号が入力された場合に表示される画像の例を示す。図６は、ＬＣＤ表示器１の制御側又はＬＣＤ表示器１に信号を入力するケーブルに不良が存在する際、予め設定された信号パターンを有する信号が入力された場合に表示される画像の例を示す。
【００１５】
〔１．１  発明の全体構成〕
図１に示すように、ＬＣＤ表示器１は、記憶部１１とＡＳＩＣ（特定用途向け集積回路）１２と画像表示部１３を備え、ＡＳＩＣ１２は、画像生成部１２１と不良判定信号検知部１２２とを備える。
【００１６】
記憶部１１は、ＬＣＤ表示器１に表示不良が発生した場合に表示不良の原因を判定するために用いる不良判定画像を記憶する。不良判定画像の詳細については後述する。
【００１７】
画像生成部１２１は、ＬＣＤ表示器１の制御側からケーブル２を介して、映像信号が入力されると、当該映像信号を解釈して当該映像信号に基づく画像を生成し、画像表示部１３に出力する。
【００１８】
不良判定信号検知部１２２は、ＬＣＤ表示器１の制御側からケーブル２を介してＬＣＤ表示器１に入力された映像信号が、予め設定された通常時には入力されない信号パターンを有する不良判定信号（以下、場合により「信号Ａ」とも呼称する）に合致するか否かを検知する。より詳細には、不良判定信号検知部１２２は、事前に信号Ａの信号パターンを記憶しており、ＬＣＤ表示器１に入力された信号がこの信号パターンを有する信号Ａに合致するか否か検知する。更に、不良判定信号検知部１２２は、ＬＣＤ表示器１への信号Ａの入力を検知した場合には、信号Ａの画像生成部１２１への入力を遮断すると共に、記憶部１１から不良判定画像を読み出し、画像表示部１３に送信する。
【００１９】
なお、信号Ａは、ＶＩＤＥＯ信号（映像信号）であって、ＬＣＤ表示器１の保守員等の作業者の操作によって制御側からケーブル２に入力される。また、信号Ａは、予め決められたパターンを有する信号であり、通常時にはケーブル２に入力されることはない。
図２及び図３は、画像生成部１２１によって信号Ａを解釈して映像化した場合の画像の例を示す。信号Ａを映像化した場合、図２に示すように、アルファベットの「Ｆ」が一面に整列する画像となってもよく、図３に示すように、全体的に黒く、右下のみ白い四角が存在する画像となってもよい。
【００２０】
一方、不良判定画像は、通常時にはＬＣＤ表示器１に表示されない画像であって、例えば、一面が赤い画像、具体的にはＲＧＢ値が（Ｒ：Ｇ：Ｂ）＝（２５５：０：０）の画像であってもよく、一面が緑の画像、具体的にはＲＧＢ値が（Ｒ：Ｇ：Ｂ）＝（０：２５５：０）の画像であってもよく、一面が青い画像、具体的にはＲＧＢ値が（Ｒ：Ｇ：Ｂ）＝（０：０：２５５）の画像であってもよい。あるいは、不良判定画像は、図４に示すようなグラデーションの画像であってもよい。
この不良判定画像は、あくまで、不良判定信号検知部１２２がＬＣＤ表示器１への信号Ａの入力を検知した場合に、信号Ａに対応して記憶部１１から読みだす画像であり、例えば図２及び図３に示すような、信号Ａ自体を映像化した画像とは異なるものである。
【００２１】
画像表示部１３は、ディスプレイを含み、画像生成部１２１から入力された画像、又は不良判定信号検知部１２２から入力された不良判定画像を表示画面に表示する。より詳細には、ＬＣＤ表示器１に信号Ａが入力されたことにより、不良判定信号検知部１２２から不良判定画像が入力された場合には、画像表示部１３は当該不良判定画像に基づく画像をディスプレイに表示する。一方で、ＬＣＤ表示器１の制御側又はケーブル２に不良があるために、信号Ａが信号Ａ’となってＬＣＤ表示器１に入力された場合には、画像表示部１３は、画像生成部１２１によって生成された画像に基づく画像をディスプレイに表示する。
【００２２】
なお、上記のディスプレイは、ＬＣＤ表示器１が画像を表示する画面自体のことである。より詳細には、ディスプレイは、格子状に設置された電極線によって、交点の位置にある液晶分子の向きを変えることにより、液晶の背後に設置された蛍光灯やＬＥＤ等のバックライトからの光の透過を制御することで、画像を表示する画面である。
【００２３】
第１実施形態に係るＬＣＤ表示器１の全体構成は以上の通りである。次に、ＬＣＤ表示器１の動作について説明する。
【００２４】
〔１．２  発明の動作〕
以下では、説明の便宜上、表示不良の例として、ＬＣＤ表示器１の画面に縦線が表示されるケースを例示して説明する。
【００２５】
ＬＣＤ表示器１の表示不良の原因を切り分けるため、保守員の操作により、ＬＣＤ表示器１の制御側からケーブル２を介して、ＬＣＤ表示器１に信号Ａが入力されると、ＬＣＤ表示器１の表示不良の原因がＬＣＤ表示器１自体にあり、ＬＣＤ表示器１の制御側又はＬＣＤ表示器１に信号を入力するケーブル２にない場合には、信号Ａは異なる信号に変換されることなく、信号ＡのままＬＣＤ表示器１に入力される。
【００２６】
不良判定信号検知部１２２は信号Ａの入力を検知し、信号Ａの画像生成部１２１への入力を遮断すると共に、記憶部１１から不良判定画像を読み出し、画像表示部１３に出力する。
【００２７】
画像表示部１３は、不良判定信号検知部１２２から入力された不良判定画像に基づいて、画像を表示する。
【００２８】
ここで、不良判定画像自体が、例えば図４に示すグラデーションの画像であった場合、ＬＣＤ表示器１自体が表示不良の原因を有するため、ＬＣＤ表示器１は図５に示すような、グラデーションと縦線の表示が重なり合った画像を表示する。
【００２９】
保守員等の作業者は、図５の画像を確認することにより、ＬＣＤ表示器１の表示不良の原因がＬＣＤ表示器１自体の不良にあり、ＬＣＤ表示器１の制御側又はＬＣＤ表示器１に信号を入力するケーブル２の不良ではないと特定することが可能となる。
【００３０】
一方、ＬＣＤ表示器１の表示不良の原因が、ＬＣＤ表示器１の制御側又はＬＣＤ表示器１に信号を入力するケーブル２の不良にある場合には、保守員等の作業者の操作により、ＬＣＤ表示器１に信号Ａを入力しようとしても、ＬＣＤ表示器１の制御側又はケーブル２において、信号Ａが、信号Ａとは異なる信号Ａ’に変換され、ＬＣＤ表示器１には信号Ａ’が入力されてしまう。
【００３１】
不良判定信号検知部１２２は信号Ａの入力を検知することがないため、信号Ａ’の画像生成部１２１への入力が遮断されることはなく、信号Ａ’は画像生成部１２１に入力される。
【００３２】
画像生成部１２１は、信号Ａ’を解釈することにより信号Ａ’に対応する画像を生成し、この画像を画像表示部１３に送信する。
【００３３】
画像表示部１３は、画像生成部１２１から受信した画像に基づいて、画像を表示する。
ここで、仮に、画像生成部１２１が信号Ａ自体を解釈することにより生成される画像が、例えば図２に示すように、アルファベットの「Ｆ」が一面に整列する画像であった場合、ＬＣＤ表示器１の制御側又はケーブル２の不良によって信号Ａが信号Ａ’に変換されているため、ＬＣＤ表示器１は、信号Ａ’に基づいて、例えば図６に示すような、アルファベットの「Ｆ」が一面に整列する画像と縦線の表示が重なり合った画像を表示する。
【００３４】
保守員等の作業者は、図６の画像を確認することにより、ＬＣＤ表示器１の表示不良の原因がＬＣＤ表示器１の制御側又はＬＣＤ表示器１に信号を入力するケーブル２の不良にあると特定することが可能となる。
【００３５】
なお、表示不良は、ＬＣＤ表示器１の画面に縦線が表示されるケースに限定されない。例えば、ＬＣＤ表示器１に表示される画像の全部又は一部が変形するようなケースは、全て表示不良に含まれる。
【００３６】
〔１．３  第１実施形態が奏する効果〕
第１実施形態に係るＬＣＤ表示器１に対して、予め設定された通常時には入力されない信号パターンを有する不良判定信号Ａが入力されると、表示不良の原因がＬＣＤ表示器１の不良にある場合には、記憶部１１に格納された不良判定画像が読みだされ、ＬＣＤ表示器１は不良判定画像に基づく画像を表示する。一方で、表示不良の原因が、ＬＣＤ表示器１の制御側又はケーブル２の不良にある場合には、不良判定信号Ａが異なる信号Ａ’に変換された上でＬＣＤ表示器１に入力され、不良判定信号Ａとは異なる信号Ａ’を映像化した画像が表示される。
これにより、ＬＣＤ表示器の保守員等の作業者は、ＬＣＤ表示器に表示不良が発生した場合に、表示不良の原因が、ＬＣＤ表示器自体の不良にあるのか、あるいは、ＬＣＤ表示器を制御するメインボード又はＬＣＤ表示器に信号を入力するケーブルの不良にあるのかを、ＬＣＤ表示器単体で診断することが可能となる。
ひいては、ＬＣＤ表示器の保守時に、表示不良を解消するために交換する部品の箇所が絞れるので、現場での対応を従来よりも早くすることが可能となる。また、ＬＣＤ表示器の表示不良の原因を切り分けることにより、ＬＣＤ表示器の不具合調査において、表示不良の現象を再現できないＬＣＤ表示器の割合を現状よりも減らすことが可能となる。
【００３７】
〔２．第２実施形態〕
以下、本発明の第２実施形態について、図７を参照することにより説明する。図７は、第２実施形態に係るＬＣＤ表示器１Ａの全体構成を示す。なお、説明の簡略化のため、以下では、ＬＣＤ表示器１Ａが備える構成要素のうち、ＬＣＤ表示器１が備える構成要素と同一の構成要素については、同一の符号を用いると共にその説明を省略し、主として、ＬＣＤ表示器１とは異なる点について説明する。
【００３８】
〔２．１  発明の全体構成〕
図７に示すように、ＬＣＤ表示器１ＡはＬＣＤ表示器１とは異なり、記憶部１１と不良判定信号検知部１２２は備えず、その代わりに、不良判定信号検知部１２２ａを備える。
【００３９】
不良判定信号検知部１２２ａは、不良判定信号検知部１２２と同様に、事前に信号Ａの信号パターンを記憶しており、この信号パターンを有する信号Ａの、ＬＣＤ表示器１Ａへの入力を検知すると共に、信号Ａの入力を検知した場合には、信号Ａの画像生成部１２１への入力を遮断し、画像生成部１２１に入力されないようにするが、不良判定信号検知部１２２と異なり、信号Ａに対するフィードバックとして、信号Ａに対応する所定の信号Ｂを制御側に出力する。
【００４０】
更に、例えば制御側に、信号Ｂを受信すると点灯するＬＥＤを設置することで、ユーザによって不良判定信号検知部１２２ａからの信号Ｂの出力を確認することが可能となる。
【００４１】
〔２．２  発明の動作〕
ＬＣＤ表示器１Ａの表示不良の原因を切り分けるため、保守員等の作業者の操作により、ＬＣＤ表示器１Ａの制御側からケーブル２を介して、ＬＣＤ表示器１Ａに信号Ａが入力される。ＬＣＤ表示器１Ａの表示不良の原因がＬＣＤ表示器１Ａ自体の不良にあり、ＬＣＤ表示器１Ａの制御側又はＬＣＤ表示器１Ａに信号を入力するケーブル２に不良がない場合には、信号Ａは異なる信号に変換されることなく、信号ＡのままＬＣＤ表示器１Ａに入力される。
【００４２】
不良判定信号検知部１２２は信号Ａの入力を検知し、信号Ａの画像生成部１２１への入力を遮断すると共に、制御側に、信号Ａに対応する信号Ｂを出力する。保守員は、制御側に設けられたＬＥＤの点灯を確認することにより、ＬＣＤ表示器１Ａの表示不良の原因がＬＣＤ表示器１Ａ自体の不良にあり、ＬＣＤ表示器１Ａの制御側又はＬＣＤ表示器１Ａに信号を入力するケーブル２には不良がないと特定することが可能となる。
【００４３】
一方、ＬＣＤ表示器１Ａの表示不良の原因が、ＬＣＤ表示器１Ａの制御側又はＬＣＤ表示器１Ａに信号を入力するケーブル２の不良にある場合には、保守員等の作業者の操作により、ＬＣＤ表示器１Ａに信号Ａを入力しようとしても、ＬＣＤ表示器１Ａの制御側又はケーブル２において、信号Ａが、信号Ａとは異なる信号Ａ’に変換され、ＬＣＤ表示器１Ａには信号Ａ’が入力されてしまう。
【００４４】
不良判定信号検知部１２２は信号Ａの入力を検知することがないため、制御側に信号Ａに対応する信号Ｂを出力することがなく、制御側に設けられたＬＥＤは点灯しない。保守員等の作業者は、制御側に設けられたＬＥＤの消灯を確認することにより、ＬＣＤ表示器１Ａの表示不良の原因が、ＬＣＤ表示器１Ａの制御側又はＬＣＤ表示器１Ａに信号を入力するケーブル２の不良にあると特定することが可能となる。
【００４５】
〔２．３  第２実施形態が奏する効果〕
第２実施形態に係るＬＣＤ表示器１Ａに対して、予め設定された通常時には入力されない信号パターンを有する不良判定信号である信号Ａが入力されると、表示不良の原因が、ＬＣＤ表示器１Ａ自体の不良にある場合には、不良判定信号検知部１２２は、制御側に信号Ａに対応する信号Ｂを出力し、制御側のＬＥＤが点灯する。一方で、表示不良の原因が、ＬＣＤ表示器１の制御側又はケーブル２の不良にある場合には、不良判定信号である信号Ａが異なる信号に変換された上でＬＣＤ表示器１Ａに入力されるため、制御側に信号Ｂがフィードバック出力されることはなく、制御側のＬＥＤも点灯することはない。
これにより、ＬＣＤ表示器の保守員等の作業者は、ＬＣＤ表示器に表示不良が発生した場合に、表示不良の原因がＬＣＤ表示器自体にあるのか、あるいは、ＬＣＤ表示器を制御するメインボード又はＬＣＤ表示器に信号を入力するケーブルの不良にあるのかを診断することが可能となる。
【００４６】
更に、第２実施形態において、保守員等の作業者は、制御側に設置されたＬＥＤの点灯・消灯を二値的に確認するのみであるため、場合によっては表示画像の微妙な違いを見分ける必要のある第１実施形態に比較して、より簡便にＬＣＤ表示器の表示不良の原因を切り分けることが可能となる。
【００４７】
〔３．第３実施形態〕
以下、本発明の第３実施形態について、図８を参照することにより説明する。図８は、第３実施形態に係る診断システム１０の全体構成を示す。なお、後述のように、診断システム１０は、第１実施形態に係るＬＣＤ表示器１を備えるが、説明の簡略化のため、以下では、ＬＣＤ表示器１が備える構成要素の説明と図示は省略する。
【００４８】
〔３．１  発明の全体構成〕
図８に示すように、診断システム１０は、第１実施形態に係るＬＣＤ表示器１及びケーブル２に加え、制御装置３と撮影装置４とを備える。
【００４９】
制御装置３は、予め設定された任意の入力インタフェースを介して保守員等の作業者により、診断指令信号が入力されると、ＬＣＤ表示器１に対してケーブル２を介して上記の信号Ａを出力すると共に、撮影装置４に対して、撮影指令信号である信号Ｃを出力する装置である。更に、制御装置３は、信号Ａが入力されたことによってＬＣＤ表示器１のディスプレイに表示される画面を、信号Ｃが入力された撮影装置４によって撮影された画像に係る撮影データを用いて、ＬＣＤ表示器１に不具合があるか否かを切り分ける装置である。
【００５０】
制御装置３は、記憶部３１と、第１判断部３２と、第２判断部３３とを備える。
記憶部３１は、ＬＣＤ表示器１によって単体で表示される画像データを記憶する。より具体的には、記憶部３１は、ＬＣＤ表示器１に表示不良が発生した場合に表示不良の原因を判定するために用いる不良判定画像と同一の画像に係る画像データを記憶する。不良判定画像は、通常時にはＬＣＤ表示器１に表示されない画像であって、例えば、一面が赤い画像、具体的にはＲＧＢ値が（Ｒ：Ｇ：Ｂ）＝（２５５：０：０）の画像であってもよく、一面が緑の画像、具体的にはＲＧＢ値が（Ｒ：Ｇ：Ｂ）＝（０：２５５：０）の画像であってもよく、一面が青い画像、具体的にはＲＧＢ値が（Ｒ：Ｇ：Ｂ）＝（０：０：２５５）の画像であってもよい。あるいは、不良判定画像は、図４に示すようなグラデーションの画像であってもよい。
【００５１】
第１判断部３２は、診断指令信号が入力されると、映像信号である信号ＡをＬＣＤ表示器１に、撮影指令信号である信号Ｃを撮影装置４に出力する。
【００５２】
第２判断部３３には、信号Ａに基づいてＬＣＤ表示器１のディスプレイに表示される画像であって、信号Ｂが入力された撮影装置４によって撮影された画像に係る撮影データが入力される。また、第２判断部３３に対し、撮影装置４からこの撮影データが入力されると、記憶部３１に記憶される画像データと撮影データとを照合し、画像データと撮影データとが一致しているか否かを判断する。更に、第２判断部３３は、この判断結果に基づいて、撮影装置４に対しＬＣＤ表示器１の診断結果を出力する。
【００５３】
撮影装置４は、ＬＣＤ表示器１のディスプレイを撮影する装置であり、例えばスマートフォンであってもよく、制御装置３に備え付けのカメラであってもよい。
【００５４】
〔３．２  発明の動作〕
以下では、説明の便宜上、表示不良の例として、ＬＣＤ表示器１の画面に縦線が表示されるケースを例示して説明する。
【００５５】
保守員等の作業者の操作により、制御装置３に診断指令信号が入力されると、ＬＣＤ表示器１自体にも、ケーブル２にもＬＣＤ表示器１の表示不良の原因がない場合には、信号Ａは異なる信号に変換されることなく、信号ＡのままＬＣＤ表示器１に入力される。
【００５６】
ＬＣＤ表示器１の不良判定信号検知部１２２は、ＬＣＤ表示器１への信号Ａの入力を検知したことにより、信号Ａの画像生成部１２１への入力を遮断すると共に、記憶部１１から不良判定画像を読み出し、画像表示部１３に送信する。ＬＣＤ表示器１の画像表示部１３は、不良判定信号検知部１２２から入力された不良判定画像に基づいて、画像を表示する。
【００５７】
ここで、不良判定画像自体が、例えば図４に示すようなグラデーションの画像であった場合、ＬＣＤ表示器１は当該グラデーションの画像を表示する。
【００５８】
信号Ｃが入力された撮影装置４によって、ＬＣＤ表示器１に表示されるグラデーションの画像が撮影され、この撮影データは、制御装置３の第２判断部３３に入力される。
【００５９】
第２判断部３３は、記憶部３１に記憶される、例えば図４に示すグラデーションの画像に係る画像データと、撮影データとを比較し、これらが一致する場合、ＬＣＤ表示器１自体にもケーブル２にも表示不良の原因はないと診断することが可能となる。
【００６０】
一方で、ＬＣＤ表示器１自体にＬＣＤ表示器１の表示不良の原因があり、ＬＣＤ表示器１に信号を入力するケーブル２にない場合には、ＬＣＤ表示器１の画像表示部１３は、不良判定信号検知部１２２から入力された不良判定画像に基づいて、画像を表示するものの、ＬＣＤ表示器１自体に表示不良の原因があることから、ＬＣＤ表示器１は、第１実施形態で説明したように、例えば図５に示すグラデーションと縦線の表示が重なり合った画像を表示する。
【００６１】
信号Ｃが入力された撮影装置４によって、ＬＣＤ表示器１に表示されるグラデーションと縦線の表示が重なり合った画像が撮影され、この撮影データは、制御装置３の第２判断部３３に入力される。
【００６２】
第２判断部３３は、記憶部３１に記憶される、例えば図４に示すグラデーションの画像に係る画像データと、グラデーションと縦線の表示が重なり合った画像の撮影データとを比較し、これらが一致しない場合、ＬＣＤ表示器１自体及びケーブル２の少なくとも一方に表示不良の原因が存在すると診断することが可能となる。
【００６３】
なお、ＬＣＤ表示器１に信号を入力するケーブル２にＬＣＤ表示器１の表示不良の原因がある場合には、ＬＣＤ表示器１に信号Ａを入力しようとしても、ケーブル２において、信号Ａが、信号Ａとは異なる信号Ａ’に変換され、ＬＣＤ表示器１には信号Ａ’が入力されてしまう。ＬＣＤ表示器１の不良判定信号検知部１２２は信号Ａの入力を検知することがないため、信号Ａ’の画像生成部１２１への入力が遮断されることはなく、信号Ａ’は画像生成部１２１に入力される。
【００６４】
ＬＣＤ表示器１の画像生成部１２１は、信号Ａ’を解釈することにより信号Ａ’に対応する画像を生成し、この画像を画像表示部１３に送信する。ＬＣＤ表示器１は、第１実施形態で説明したように、例えば図６に示すアルファベットの「Ｆ」が一面に整列する画像と縦線の表示が重なり合った画像を表示する。
【００６５】
信号Ｃが入力された撮影装置４によって、ＬＣＤ表示器１に表示されるアルファベットの「Ｆ」が一面に整列する画像と縦線の表示が重なり合った画像が撮影され、この撮影データは、制御装置３の第２判断部３３に入力される。
【００６６】
第２判断部３３は、記憶部３１に記憶される、例えば図４に示すグラデーションの画像に係る画像データと、アルファベットの「Ｆ」が一面に整列する画像と縦線の表示が重なり合った画像の撮影データとを比較し、これらが一致しないことから、ＬＣＤ表示器１自体及びケーブル２の少なくとも一方に表示不良の原因が存在すると診断することが可能となる。
【００６７】
第２判断部３３は、診断結果を撮影装置４に出力する。撮影装置４は診断結果を受信し、当該診断結果を表示することができる。
そうすることで、保守員等の作業者は、例えば「縦線を見逃した」、「色の変化に気づかなかった」等を回避することができ、判断を誤ることがなくなる。
【００６８】
〔３．３  第３実施形態が奏する効果〕
第３実施形態に係る診断システム１０に備わるＬＣＤ表示器１に対して、制御装置３から、予め設定された通常時には入力されない信号パターンを有する不良判定信号Ａが入力されると、ＬＣＤ表示器１及びケーブル２のいずれにも、表示不良の原因が存在しない場合には、記憶部１１に格納された不良判定画像が読みだされ、ＬＣＤ表示器１は不良判定画像に基づく画像を表示する。制御装置３（第２判断部３３）は、撮影装置４によって撮影されたＬＣＤ表示器１のディスプレイの画像が、制御装置３に記憶される不良判定画像と一致することにより、ＬＣＤ表示器１及びケーブル２のいずれにも、表示不良の原因が存在しないと診断して、診断結果を撮影装置４に返す。
【００６９】
他方、ＬＣＤ表示器１及びケーブル２の少なくとも一方に表示不良の原因がある場合、制御装置３（第２判断部３３）は、撮影装置４によって撮影されたＬＣＤ表示器１のディスプレイの画像が、制御装置３に記憶される不良判定画像と一致しないことにより、ＬＣＤ表示器１及びケーブル２の少なくとも一方に表示不良の原因が存在すると診断して、診断結果を撮影装置４に返す。
【００７０】
これにより、撮影装置４によってＬＣＤ表示器１に表示される画像を撮影した撮影データに基づいて、制御装置３（第２判断部３３）がＬＣＤ表示器１及びケーブル２のいずれかにおける表示不良の原因の存在の有無を診断することが可能となり、保守員等の作業者の目視のみに頼ることなく、例えば縦線を見逃したり、色の変化に気づかなかったりすることによって、保守員等の作業者が判断を誤ることがなくなる。
【００７１】
〔４．第４実施形態〕
以下、本発明の第４実施形態について、図９を参照することにより説明する。図９は、第４実施形態に係る診断システム１０Ａの全体構成を示す。なお、説明の簡略化のため、以下では、診断システム１０Ａが備える構成要素のうち、診断システム１０が備える構成要素と同一の構成要素については、同一の符号を用いると共にその説明を省略し、主として、診断システム１０とは異なる点について説明する。
【００７２】
〔４．１  発明の全体構成〕
図９に示すように、診断システム１０Ａは診断システム１０とは異なり、制御装置３の代わりに制御装置３Ａを備え、更にサーバ５を備える。また、制御装置３Ａは、記憶部３１Ａと、第２判断部３３Ａと、を備える。
【００７３】
記憶部３１Ａは、ＬＣＤ表示器１によって単体で表示される画像データに加え、ＬＣＤ表示器１の識別情報を記憶する。とりわけ、制御装置３Ａを用いて複数台分のＬＣＤ表示器１の診断をする場合には、記憶部３１Ａは、ＬＣＤ表示器１の台数分の識別情報を記憶する。
【００７４】
第２判断部３３Ａは、記憶部３１に記憶されている画像データと撮影データとを照合し、画像データと撮影データとが一致しているか否かを判断した結果に基づいて、撮影装置４に対し、ＬＣＤ表示器１及びケーブル２の診断結果を出力する。これに加え、第２判断部３３Ａは、サーバ５に対しても、ＬＣＤ表示器１及びケーブル２の診断結果を出力する。
【００７５】
サーバ５に入力されるＬＣＤ表示器１及びケーブル２の診断結果データには、診断結果自体に加え、記憶部３１Ａから読みだした、信号Ａの送信先であるＬＣＤ表示器１の識別情報、及び診断結果の診断日時が付加される。
【００７６】
サーバ５には、ＬＣＤ表示器１の識別情報ごとに、ＬＣＤ表示器１及びケーブル２の診断結果、診断日時が格納される。
【００７７】
なお、サーバ５を実現するために、例えばクラウド上の仮想サーバを適用してもよい。例えばクラウドで共有するＦｏｇ  Ｃｏｍｐｕｔｉｎｇ（Ｆｏｇ  Ｃｏｍｐｕｔｉｎｇはシスコ社の登録商標）を用いてもよい。
【００７８】
〔４．２  第４実施形態が奏する効果〕
第４実施形態に係る診断システム１０Ａにおいても、第３実施形態に係る診断システム１０と同様に、撮影装置４によって撮影されたＬＣＤ表示器１のディスプレイの画像が、制御装置３に記憶される不良判定画像と一致する場合には、第２判断部３３Ａは、ＬＣＤ表示器１及びケーブル２のいずれにも、表示不良の原因が存在しないと判断する。一方で、撮影装置４によって撮影されたＬＣＤ表示器１のディスプレイの画像が、制御装置３Ａに記憶される不良判定画像と一致しない場合には、第２判断部３３Ａは、ＬＣＤ表示器１及びケーブル２の少なくとも一方に表示不良の原因が存在すると判断する。
【００７９】
これにより、第３実施形態に係る診断システム１０と同様、撮影装置４によってＬＣＤ表示器１に表示される画像を撮影した撮影データに基づいて、制御装置３Ａ（第２判断部３３Ａ）がＬＣＤ表示器１及びケーブル２のいずれかにおける表示不良の原因の存在の有無を診断することが可能となり、保守員等の作業者の目視のみに頼ることなく、保守員等の作業者が判断を誤ることがなくなる。
【００８０】
更に、第４実施形態に係る診断システム１０Ａにおいては、サーバ５に、ＬＣＤ表示器１の識別情報ごとに、ＬＣＤ表示器１及びケーブル２の診断結果及び診断日時のデータが格納される。
【００８１】
これにより、サーバ５上にＬＣＤ表示器１及びケーブル２の不具合件数が蓄積され、集めたデータをＬＣＤ表示器１に係る不具合解析に利用することが可能となる。
【００８２】
また、保守員等の作業者はＬＣＤ表示器１のディスプレイを撮影装置４で撮影するだけで、ＬＣＤ表示器１及びケーブル２の診断結果に係る情報をサーバ５にアップロードできるので、保守員等の作業者のデータ保存に係る手間を省略することが可能となる。
【００８３】
〔５  変形例〕
〔５．１  変形例１〕
上記のように、第１実施形態及び第２実施形態においては、ＬＣＤ表示器の表示不良の原因が、ＬＣＤ表示器自体の不良にありＬＣＤ表示器の制御側又はＬＣＤ表示器のケーブルには無いケースか、ＬＣＤ表示器の制御側又はＬＣＤ表示器のケーブルの不良にあるケースかを特定するものであった。すなわち、ＬＣＤ表示器の表示不良の原因が、ＬＣＤ表示器の制御側又はＬＣＤ表示器のケーブルの不良にある場合、同時にＬＣＤ表示器自体の不良にも表示不良の原因が存在するのか、又は、ＬＣＤ表示器自体には表示不良の原因が存在せず、ＬＣＤ表示器の制御側又はＬＣＤ表示器のケーブルの不良のみに表示不良の原因が存在するのかを切り分けることが出来なかった。
【００８４】
変形例１においては、ＬＣＤ表示ユニットとは独立に、ＬＣＤ表示器１に信号Ａを入力することが可能な装置が存在し、ＬＣＤ表示器の表示不良の原因が、ＬＣＤ表示器の制御側又はケーブルの不良にある場合に、図１０に示すように、保守員等の作業者がこの装置を用いてＬＣＤ表示器１に対して直接信号Ａを入力する。
【００８５】
仮に、ＬＣＤ表示器１自身には表示不良の原因が存在しないと共に、不良判定画像自体が、例えば図４に示すグラデーションの画像であった場合、ＬＣＤ表示器１は、図４に示すグラデーションの画像をそのまま表示する。
【００８６】
一方、ＬＣＤ表示器１自身にも表示不良の原因が存在する場合には、ＬＣＤ表示器１は、図５に示すような、グラデーションと縦線の表示が重なり合った画像を表示する。
【００８７】
すなわち、ＬＣＤ表示器１に直接信号Ａを入力し、図４に示すグラデーションの画像がそのまま表示される場合には、表示不良の原因は、ＬＣＤ表示器１の制御側又はケーブル２の不良にのみ存在し、ＬＣＤ表示器１には存在しないと特定できる。一方、図５に示す、グラデーションと縦線の表示が重なり合った画像が表示される場合には、表示不良の原因は、ＬＣＤ表示器１の制御側又はケーブル２と、ＬＣＤ表示器１自体との双方の不良に存在すると特定できる。
【００８８】
なお、ＬＣＤ表示器１の表示不良の原因がＬＣＤ表示器１自体の不良にはなく、ＬＣＤ表示器１の制御側又はケーブル２の不良にある場合、ケーブル２を、事前に不良が存在していないことが確認されているケーブルに交換した上で、ＬＣＤ表示器１を通常使用しても表示不良が発生したら、保守員等の作業者は、ＬＣＤ表示器１の表示不良の原因が制御側にあると特定することが可能である。一方で、表示不良が発生しない場合には、保守員等の作業者は、ＬＣＤ表示器１の表示不良の原因が、ケーブル２にあると特定することが可能である。
【００８９】
〔５．２  変形例２〕
図１１は、変形例２の全体構成を示す。変形例２に係る診断システム１０Ｂは、第４実施形態に係る診断システム１０Ａと異なり、制御装置３Ｂと、撮影装置４Ｂと、サーバ５Ｂと、を備える。
【００９０】
第４実施形態に係る診断システム１０Ａにおいては、制御装置３Ａの第２判断部３３Ａがサーバ５に対し、ＬＣＤ表示器１の診断結果を出力し、サーバ５には、ＬＣＤ表示器１の識別情報ごとに、ＬＣＤ表示器１及びケーブル２の診断結果、診断日時が格納された。
【００９１】
これに対して、変形例２に係る診断システム１０Ｂにおいて、制御装置３Ｂは第１判断部３１Ｂのみを備え、サーバ５が、記憶部５１、第２判断部５２、及び収集部５３を備える。
【００９２】
制御装置３Ｂの第１判断部３１Ｂは、制御装置３の第１判断部３２と同様に、診断指令信号が入力されると、映像信号である信号ＡをＬＣＤ表示器１に、撮影指令信号である信号Ｃを撮影装置４Ｂに出力する。信号ＣにはＬＣＤ表示器１の識別情報が含まれる。
【００９３】
また、撮影装置４Ｂは、サーバ５Ｂに対して撮影データを出力する際、撮影データに加えて、ＬＣＤ表示器１の識別情報を併せて出力する。
【００９４】
サーバ５Ｂの第２判断部５２には、撮影装置４ＢからＬＣＤ表示器１の識別情報が入力されるため、記憶部５１は、制御装置３Ａの記憶部３１Ａとは異なり、ＬＣＤ表示器１の識別情報を記憶する必要はない。
【００９５】
また、第２判断部５２は、記憶部５１に記憶されている画像データと撮影データとを照合し、画像データと撮影データとが一致しているか否かを判断した結果に基づいて、撮影装置４Ｂに対し、ＬＣＤ表示器１及びケーブル２の診断結果を出力する。これに加えて、第２判断部５２は、収集部５３に対しても、ＬＣＤ表示器１及びケーブル２の診断結果を出力する。
【００９６】
収集部５３に入力されるＬＣＤ表示器１及びケーブル２の診断結果データには、診断結果自体に加え、第２判断部５２に対して撮影装置４Ｂから入力された、信号Ａの送信先であるＬＣＤ表示器１の識別情報、及び診断結果の診断日時が付加される。
【００９７】
以上のように、第４実施形態に係る診断システム１０Ａにおいて、制御装置３側に備わっていた記憶部３１Ａ及び第２判断部３３Ａを、サーバ５Ｂの側で記憶部５１及び第２判断部５２として備えるように変形するようにしてもよい。
そうすることで、撮影装置４Ｂがサーバ５Ｂと通信することで、サーバ５Ｂの側での診断結果の収集と、サーバ５Ｂから撮影装置４Ｂへの診断結果のフィードバックが可能となる。また、制御装置３Ｂ側で、物理的な構成や回路を簡略化することが可能となる。
【００９８】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【符号の説明】
【００９９】
１  １Ａ  ＬＣＤ表示器
２  ケーブル
３  ３Ａ  ３Ｂ  制御装置
４  ４Ｂ  撮影装置
５  ５Ｂ  サーバ
１０  １０Ａ  １０Ｂ  診断システム
１１  記憶部
１２  ＡＳＩＣ（特定用途向け集積回路）
１３  画像表示部
３１  ３１Ａ  ５１  記憶部
３１Ｂ  ３２  第１判断部
３３  ３３Ａ  ５２  第２判断部
５３  収集部
１２１  画像生成部
１２２  １２２ａ  不良判定信号検知部
【図１】
2019164337.tif 000003
【図２】
2019164337.tif 000004
【図３】
2019164337.tif 000005
【図４】
2019164337.tif 000006
【図５】
2019164337.tif 000007
【図６】
2019164337.tif 000008
【図７】
2019164337.tif 000009
【図８】
2019164337.tif 000010
【図９】
2019164337.tif 000011
【図１０】
2019164337.tif 000012
【図１１】
2019164337.tif 000013
【図１２】
2019164337.tif 000014